【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
いびきを阻害又は防止するための装置であって、当該装置は、
ブラダーアセンブリであって、該ブラダーアセンブリは、折り畳み式構造と、該折り畳み式構造内に位置する少なくとも１つの膨張式ブラダーとを含み、該膨張式ブラダーは、該折り畳み式構造がユーザーの頭を支持する間に前記折り畳み式の上面全体が、前記ブラダーアセンブリの長さに沿って同時に上昇するように膨らむように構成されている、ブラダーアセンブリと、
前記膨張式ブラダーを膨張させるためのエアインフレータを前記膨張式ブラダーに接続する導管と、
前記膨張式ブラダーを膨張させるために前記エアインフレータを作動させる、前記エアインフレータと通信するコントローラと、
前記コントローラと通信するオーディオプロセッサであって、該オーディオプロセッサは音波を検出し、トリガーイベントの検出の際に前記コントローラに制御コマンドを送信して前記エアインフレータの作動を引き起こすように構成されている、オーディオプロセッサと、
を含む、装置。
【請求項２】
前記コントローラは、前記トリガーイベントが検出されると、膨張周期を提供するために、前記エアインフレータの作動を膨張時間でオンにし、その後収縮時間でオフにするように構成されている、請求項１に記載の装置。
【請求項３】
前記折り畳み式構造は、互いに枢着された剛性部分を含む、請求項１に記載の装置。
【請求項４】
前記折り畳み式構造はスリーブアセンブリを含み、該スリーブアセンブリは複数の剛性部分を含み、各剛性部分は隣接する剛性部分に枢着されて、前記膨張式ブラダーは膨張の間に該複数の剛性部分を前記ブラダーアセンブリの長手軸に沿って外方に広げるように構成され、
前記複数の剛性部分は、広げられた場合に円筒形状又は多角形状を形成するように構成されている、請求項１に記載の装置。
【請求項５】
前記複数の剛性部分は第１の幅を有する第１の部分及び第２の幅を有する第２の部分を少なくとも含み、該第１の幅は該第２の幅よりも大きく、該第１の部分は前記膨張式ブラダーが膨張された場合に前記膨張式ブラダーの下に位置する、請求項４に記載の装置。
【請求項６】
前記スリーブアセンブリは複数の長手ポケットを含み、該ポケットのそれぞれは、膨張の間の枢動動作のために隣接するポケットにヒンジで連結されるとともに、少なくとも前記複数の剛性部分のうちの対応する１つを受容するように構成されている、請求項４に記載の装置。
【請求項７】
前記オーディオプロセッサは１つ以上のオーディオセンサ又はマイクロフォンに連結されるとともに、該１つ以上のオーディオセンサ又はマイクロフォンにより検出された複数のソースからの音波を受信するように構成され、前記オーディオプロセッサは該音波を分析することによりユーザーを特定するように構成され、該ユーザーは前記複数のソースのうちの１つである、請求項１に記載の装置。
【請求項８】
前記オーディオプロセッサは１つ以上のオーディオセンサ又はマイクロフォンに連結されるとともに、該１つ以上のオーディオセンサ又はマイクロフォンにより検出された複数のソースからの音波を受信するように構成され、前記オーディオプロセッサは該音波を分析することによりユーザーの位置を特定するように構成され、該ユーザーは前記複数のソースのうちの１つである、請求項１に記載の装置。
【請求項９】
前記折り畳み式構造がユーザーの頭を支持する間、該ユーザーの頭の位置に関係なく、前記膨張式ブラダーの膨張により前記折り畳み式構造が広がって前記折り畳み式構造が柔軟な構造から剛性の構造に変化し、前記折り畳み式構造の高さをその長さに亘って均一に且つ同時に変化させる、請求項１に記載の装置。
【請求項１０】
前記膨張式ブラダーは、前記折り畳み式構造がユーザーの頭を支持する間に、前記折り畳み式構造の上面全体が前記ブラダーアセンブリの長さ全体に沿って同時に初期位置に下がるように収縮するようさらに構成されている、請求項１に記載の装置。
【請求項１１】
前記エアインフレータを防音筐体内で懸架するために懸架部品をさらに含み、該懸架部品は、リング、サドル、シリンダ、スリーブ又はバネのうちの１つ以上を含む、請求項１に記載の装置。
【請求項１２】
前記コントローラは、圧力制御が所定の圧力に達すること又は前記ブラダーアセンブリが所定のサイズに達することのうちの少なくとも１つが起きるまで前記エアインフレータを作動させて前記膨張式ブラダーを膨張させるように構成されている、請求項１に記載の装置。
【請求項１３】
前記トリガーイベントはいびき音の検出、ユーザーのいびき音の特定、前記装置のメモリに記憶されたいびきプロファイルのパターン、いびき音の予測又は所定の期間のうちの少なくとも１つを含む、請求項１に記載の装置。
【請求項１４】
いびきを阻害又は防止するための装置であって、当該装置はブラダーアセンブリを含み、
前記ブラダーアセンブリは、
膨張式ブラダーであって、該膨張式ブラダーは前記ブラダーアセンブリの上面全体を実質的に平行に上げるように膨張し、前記ブラダーアセンブリの上面全体を実質的に平行に下げるように収縮するよう構成され、膨張及び収縮の合計時間は１膨張周期を含む、膨張式ブラダーと、
前記膨張式ブラダーを膨張するためのエアインフレータに前記膨張式ブラダーを接続する導管と、
前記エアインフレータと通信するコントローラであって、該コントローラは前記エアインフレータを作動させるように構成されている、コントローラと、
前記エアインフレータを防音筐体内で懸架する懸架部品と、
前記コントローラと通信するオーディオプロセッサであって、該オーディオプロセッサは音波を検出し、トリガーイベントが検出されると前記１膨張周期を開始させるために前記コントローラに制御コマンドを送信して前記エアインフレータを作動させるように構成されている、オーディオプロセッサと、
を含む、装置。
【請求項１５】
いびきを阻害又は防止するための装置であって、当該装置はブラダーアセンブリを含み、
前記ブラダーアセンブリは、
第１の長手端部を有する上側ブラダーアセンブリピースと、
前記第１の長手端部に沿って前記上側ブラダーアセンブリピースにヒンジで連結される第２の長手端部を有する下側ブラダーアセンブリピースと、    前記上側ブラダーアセンブリピースと前記下側ブラダーアセンブリピースとの間に位置する膨張式ブラダーと、
を含み、
前記膨張式ブラダーの膨張により前記上側ブラダーアセンブリピースの反対側端部が前記下側ブラダーアセンブリピースの反対側端部に対して上方に上昇され、
前記上側ブラダーアセンブリピースの反対側端部の前記上昇により、前記ブラダーアセンブリの上面全体が前記上側ブラダーアセンブリピースの反対側端部から前記第１の長手端部にかけて下向きに傾斜され、
前記ブラダーアセンブリはさらに、
前記膨張式ブラダーを膨張するためのエアインフレータに前記膨張式ブラダーを接続する導管と、
前記エアインフレータと通信するコントローラであって、該コントローラは前記膨張式ブラダーを膨張するために前記エアインフレータを作動させる、コントローラと、  前記コントローラと通信するオーディオプロセッサであって、該オーディオプロセッサは音波を検出し、トリガーイベントの検出の際に前記コントローラに制御コマンドを送信して前記エアインフレータの作動させるように構成されている、オーディオプロセッサと、を含む、装置。
【請求項１６】
いびきを阻害又は防止するための装置であって、当該装置はブラダーアセンブリを含み、
前記ブラダーアセンブリは、
上側ブラダーアセンブリピースと、
下側ブラダーアセンブリピースと、
前記ブラダーアセンブリの第１の端部にある第１の膨張式ブラダーであって、該第１の膨張式ブラダーは前記上側ブラダーアセンブリピースと前記下側ブラダーアセンブリピースとの間に位置する、第１の膨張式ブラダーと、
前記ブラダーアセンブリの第２の端部にある第２の膨張式ブラダーであって、該第２の膨張式ブラダーは前記上側ブラダーアセンブリピースと前記下側ブラダーアセンブリピースとの間に位置する、第２の膨張式ブラダーと、
を含み、
前記第１の膨張式ブラダー及び第２の膨張式ブラダーの膨張により前記上側ブラダーアセンブリピース全体が前記下側ブラダーアセンブリピースに対して上方に上昇し、
前記ブラダーアセンブリはさらに、
前記第１の膨張式ブラダーを膨張するための第１のエアインフレータに前記第１の膨張式ブラダーを接続する第１の導管と、
前記第２の膨張式ブラダーを膨張するための第２のエアインフレータに前記第２の膨張式ブラダーを接続する第２の導管と、
前記第１のエアインフレータ及び前記第２のエアインフレータと通信するコントローラであって、該コントローラは前記第１の膨張式ブラダー及び前記第２の膨張式ブラダーを膨張させるために前記第１のエアインフレータ及び前記第２のエアインフレータを作動させる、コントローラと、
前記コントローラと通信するオーディオプロセッサであって、該オーディオプロセッサは音波を検出し、トリガーイベントの検出の際に前記コントローラに制御コマンドを送信して前記第１のエアインフレータ及び前記第２のエアインフレータを作動させるように構成されている、オーディオプロセッサと、を含む、装置。
【請求項１７】
前記第１の膨張式ブラダー及び前記第２の膨張式ブラダーは同じ圧力で膨張される、請求項１６に記載の装置。
【手続補正２】
【補正対象書類名】明細書
【補正対象項目名】０１６４
【補正方法】変更
【補正の内容】
【０１６４】
図２３は、２つの膨張式ブラダー９６０を備える別の例示のブラダーアセンブリを示す。２つの別個の膨張式ブラダー５１６ａ、５１６ｂは導管５１８ａ、５１８ｂを通じてそれぞれ独立した空圧源に接続されている。ブラダーアセンブリ９６０は２つのブラダーアセンブリ片、例えば上側ブラダーアセンブリピース及び下側アセンブリピースを含み得る。各ブラダーアセンブリピースは、図示の１方向ヒンジ等を通じて１つの方向に折り畳まれ得る。ブラダー５１６ａ、５１６ｂが膨らまされると、上側ブラダーアセンブリピースは下側ブラダーアセンブリピースに対して上方向に動かされることにより、ユーザーの頭を持ち上げ得る。